【手続補正書】
【提出日】平成26年9月9日(2014.9.9)
【手続補正１】
【補正対象書類名】特許請求の範囲
【補正対象項目名】全文
【補正方法】変更
【補正の内容】
【特許請求の範囲】
【請求項１】
画像を読み取る読取手段と、
通信先からの要求に応じて、前記読取手段によって読み取られた画像を示す画像情報の無線通信による提供を受ける権利を前記通信先に付与する付与手段と、
前記通信先との前記無線通信の接続が確立された状態で前記通信先が前記付与手段によって付与された前記権利を行使した場合に前記画像情報を前記無線通信で該通信先に対して送信することによって提供する提供手段と、
を含む画像処理装置。
【請求項２】
前記付与手段は、前記通信先との前記無線通信の接続が確立されたとの接続確立条件を含む特定の条件を満足した場合、前記通信先からの前記要求に応じて前記権利を前記通信先に付与する請求項１に記載の画像処理装置。
【請求項３】
前記付与手段が前記無線通信により前記権利を前記通信先に送信することによって付与する場合に前記通信先から前記要求があったにも拘らず前記接続確立条件を、前記画像情報を転送する条件として予め定められた期間満足しない場合、前記画像情報を予め定められた転送先に転送する転送手段を更に含み、
前記提供手段は、前記通信先が前記付与手段によって付与された前記権利を行使した場合に前記転送先から前記画像情報を取得し、取得した画像情報を前記無線通信で該通信先に対して送信することによって提供する請求項２に記載の画像処理装置。
【請求項４】
前記権利を、前記転送先を特定する転送先特定情報を含んで構成した請求項３に記載の画像処理装置。
【請求項５】
前記通信先から前記要求があったにも拘らず前記接続確立条件を、前記画像情報を消去する条件として予め定められた期間満足しない場合に前記画像情報を消去する消去手段を更に含む請求項２〜請求項４の何れか１項に記載の画像処理装置。
【請求項６】
前記画像情報を消去するか否かを示す消去情報を予め記憶した記憶手段を更に含み、
前記消去手段は、前記通信先から前記要求があったにも拘らず前記接続確立条件を、前記画像情報を消去する条件として予め定められた期間満足せず、かつ前記記憶手段に記憶されている前記消去情報が前記画像情報を消去することを示している場合に前記画像情報を消去する請求項５に記載の画像処理装置。
【請求項７】
前記付与手段は、前記通信先との前記無線通信の接続が確立されている場合に前記権利を前記無線通信により前記通信先に送信することによって付与し、前記通信先との前記無線通信の接続が確立されていない場合に前記無線通信で用いる通信手段とは異なる他の通信手段を用いて前記権利を前記通信先に送信することによって付与する請求項１〜請求項６の何れか１項に記載の画像処理装置。
【請求項８】
前記通信手段を、アドホックモードにより通信を行う通信手段とし、
前記他の通信手段を、インフラストラクチャモードにより通信を行う通信手段とした請求項７に記載の画像処理装置。
【請求項９】
前記通信手段を、アドホックモードにより通信を行う通信手段とし、
前記他の通信手段を、電子メールを用いて通信を行う通信手段とした請求項７に記載の画像処理装置。
【請求項１０】
前記通信先との前記無線通信の接続状態が、該接続が確立されている状態から該接続が切断された状態に遷移した場合に該接続が切断されたことの前記通信先への通知、及び該接続が切断されている状態から該接続が確立された状態に遷移した場合に該接続が確立されたことの前記通信先への通知の少なくとも一方を実行する通知実行手段を更に含む請求項１〜請求項９の何れか１項に記載の画像処理装置。
【請求項１１】
請求項１〜請求項１０の何れか１項に記載の画像処理装置と、
前記通信先として、前記画像処理装置に対して前記権利の提供を要求し、要求に応じて前記付与手段によって前記権利が付与され、付与された権利を行使することによって前記提供手段から前記無線通信で送信された前記画像情報を受信する通信装置と、
を含む画像処理システム。
【請求項１２】
前記画像処理装置は、前記通信装置との前記無線通信の接続状態が、該接続が確立されている状態から該接続が切断された状態に遷移した場合に該接続が切断されたことの前記通信装置への通知、及び該接続が切断されている上体から該接続が確立された状態に遷移した場合に該接続が確立されたことの前記通信装置への通知の少なくとも一方を実行する及びする通知実行手段を有し、
前記通信装置は、前記通知実行手段から該接続が切断されたことが通知された場合に該接続が切断されたことを示す情報を表示し、前記通知実行手段から該接続が確立されたことが通知された場合に該接続が確立されたことを示す情報を表示する表示手段を有する請求項１１に記載の画像処理システム。
【請求項１３】
請求項１〜請求項１０の何れか１項に記載の画像処理装置に対して前記権利の提供を要求する要求手段と、
前記要求手段による要求に応じて前記付与手段によって付与された前記権利を受け取る受取手段と、
前記受取手段によって受け取られた前記権利を行使する行使手段と、
前記行使手段によって前記権利を行使することによって前記提供手段から前記無線通信で送信された前記画像情報を受信する受信手段と、
を含む通信装置。
【請求項１４】
前記画像処理装置との前記無線通信の接続状態が、該接続が確立されている状態から該接続が切断された状態に遷移した場合に該接続が切断されたこと、及び該接続が切断されている状態から該接続が確立された状態に遷移した場合に該接続が確立されたことの少なくとも一方が通知され、該接続が切断されたことが通知された場合に該接続が切断されたことを示す情報を表示し、該接続が確立されたことが通知された場合に該接続が確立されたことを示す情報を表示する表示手段を更に含む請求項１３に記載の通信装置。
【請求項１５】
画像を読み取る読取手段を含む画像処理装置を制御するコンピュータを、
通信先からの要求に応じて、前記読取手段によって読み取られた画像を示す画像情報の無線通信による提供を受ける権利を前記通信先に付与する付与手段、
及び、前記通信先との前記無線通信の接続が確立された状態で前記通信先が前記付与手段によって付与された前記権利を行使した場合に前記画像情報を前記無線通信で該通信先に対して送信することによって提供する提供手段として機能させるためのプログラム。
【請求項１６】
コンピュータを、
請求項１〜請求項１０の何れか１項に記載の画像処理装置に対して前記権利の提供を要求する要求手段、
前記要求手段による要求に応じて前記付与手段によって付与された前記権利を受け取る受取手段、
前記受取手段によって受け取られた前記権利を行使する行使手段、
及び、前記行使手段によって前記権利を行使することによって前記提供手段から前記無線通信で送信された前記画像情報を受信する受信手段として機能させるためのプログラム。
【手続補正２】
【補正対象書類名】明細書
【補正対象項目名】００１６
【補正方法】変更
【補正の内容】
【００１６】
上記目的を達成するために、請求項１１に記載の画像処理システムを、請求項１〜請求項１０の何れか１項に記載の画像処理装置と、前記通信先として、前記画像処理装置に対して前記権利の提供を要求し、要求に応じて前記付与手段によって前記権利が付与され、付与された権利を行使することによって前記提供手段から前記無線通信で送信された前記画像情報を受信する通信装置と、を含んで構成した。
【手続補正３】
【補正対象書類名】明細書
【補正対象項目名】００１７
【補正方法】変更
【補正の内容】
【００１７】
請求項１１に記載の画像処理システムを、請求項１２に記載の発明のように、前記画像処理装置が、前記通信装置との前記無線通信の接続状態が、該接続が確立されている状態から該接続が切断された状態に遷移した場合に該接続が切断されたことの前記通信装置への通知、及び該接続が切断されている上体から該接続が確立された状態に遷移した場合に該接続が確立されたことの前記通信装置への通知の少なくとも一方を実行する及びする通知実行手段を有し、前記通信装置が、前記通知実行手段から該接続が切断されたことが通知された場合に該接続が切断されたことを示す情報を表示し、前記通知実行手段から該接続が確立されたことが通知された場合に該接続が確立されたことを示す情報を表示する表示手段を有するものとしても良い。
【手続補正４】
【補正対象書類名】明細書
【補正対象項目名】００１８
【補正方法】変更
【補正の内容】
【００１８】
上記目的を達成するために、請求項１３に記載の通信装置を、請求項１〜請求項１０の何れか１項に記載の画像処理装置に対して前記権利の提供を要求する要求手段と、前記要求手段による要求に応じて前記付与手段によって付与された前記権利を受け取る受取手段と、前記受取手段によって受け取られた前記権利を行使する行使手段と、前記行使手段によって前記権利を行使することによって前記提供手段から前記無線通信で送信された前記画像情報を受信する受信手段と、を含んで構成した。
【手続補正５】
【補正対象書類名】明細書
【補正対象項目名】００２１
【補正方法】変更
【補正の内容】
【００２１】
上記目的を達成するために、請求項１６に記載のプログラムを、請求項１〜請求項１０の何れか１項に記載の画像処理装置に対して前記権利の提供を要求する要求手段、前記要求手段による要求に応じて前記付与手段によって付与された前記権利を受け取る受取手段、前記受取手段によって受け取られた前記権利を行使する行使手段、及び、前記行使手段によって前記権利を行使することによって前記提供手段から前記無線通信で送信された前記画像情報を受信する受信手段としてコンピュータを機能させるためのものとした。